(57)【要約】【課題】  部材の一部の切り取りなどの面倒な作業が不要な上向き、横向き兼用の排水蓋を提供する。【解決手段】  排水蓋１は、雨水を排水する多数の排水孔３、排水スリット６、８を有し、排水管３０の排水口３３を覆う蓋本体部２と、蓋本体部２の裏面中央から裏側方向に延設された支柱１０と、支柱１０の先端部に、この先端部を中心として左右対称に取り付けられた可撓性を有する脚部１１と、を備えている。脚部１１は支柱の先端部に、支柱の軸と直交する軸周りに回動自在に軸支されており、脚部１１の両側をＵ字状に撓ませて排水口３３に差し込み、脚部１１の復元力で排水口３３の内壁に密着自在に形成されている。【選択図】      図１０
2019167759.tif 000002
【特許請求の範囲】
【請求項１】
雨水を排水する多数の排水孔または排水スリットを有し、排水管の排水口を覆う蓋本体部と、
蓋本体部の裏側中央から裏側方向に延設された支柱と、
支柱の先端部に、この先端部を中心として左右対称に取り付けられた可撓性を有する脚部と、
を備え、
脚部は支柱の先端部に、支柱の軸と直交する軸周りに回動自在に軸支されており、
脚部の両側をＵ字状に撓ませて排水口に差し込み、脚部の復元力で排水口の内壁に密着自在に形成されていること、
を特徴とする排水蓋。
【請求項２】
脚部は蓋本体部の前後方向に回動自在に軸支されており、
蓋本体部の上部の前側端部と後側端部の内、少なくとも一方を前後方向の外側に延設して延設部とし、
この延設部の内、蓋本体部の裏側方向の先端を、延設部を除く蓋本体部の裏側方向の先端より上方に位置するようにし、延設部の前後方向の端縁を平面的に見て左右方向に直線状に形成したこと、
を特徴とする請求項１記載の排水蓋。
【請求項３】
延設部は、雨水を排水する複数の排水スリットを有すること、
を特徴とする請求項２記載の排水蓋。
【発明の詳細な説明】
【技術分野】
【０００１】
本発明は排水蓋に係り、とくにマンションやビル等の建物のベランダ、屋上等の排水管の排水口に設置するゴミ避け用の排水蓋に関する。
【背景技術】
【０００２】
マンションやビル等のベランダ、屋上には上向きまたは横向きに開口した排水口から排水管を通して雨水を外部に排水するようにしてあるが、排水口の開口から落ち葉などのゴミが流入すると排水管が詰まってしまうので、雨水は通し、ゴミの流入は阻止する排水蓋を設置するようにしている。
上向きに開口した排水口は軸が垂直な円筒状であり、排水口の上端の周囲は水平な平面となっている（図５の下側参照）。上向きに開口した排水口用の従来の排水蓋は、平面視が円形状または多角形状などに形成された蓋本体部と、蓋本体部の裏側中央から裏面方向へ延びた支柱の先端に、この支柱先端を中心にして左右対称に延設された可撓性を有する帯板状の脚部が固着されて成る。排水蓋の蓋本体部で開口を覆いながらに脚部の両側をＵ字状に撓ませて排水口に差し込むと、脚部の復元力で排水口の内壁に密着し、抜け防止が図られる。
【０００３】
一方、横向きに開口した排水口は軸が略水平な円筒状であり、排水口の前端の周囲は縦断面がＬ字状の角面となっている（図９参照）。上向き用の排水蓋を横向きに開口した排水口に使用しようとすると、脚部の両先端間が復元力で広がり、排水口の上下方向の中央付近に位置しようとするため、脚部、支柱、蓋本体部が傾斜し、排水口の開口との間に隙間が生じてしまう（図１０参照）。
【０００４】
上向き用と横向き用の二種類の排水蓋を用意するのは面倒であるため、従来から、１つで上向き用と横向き用に兼用可能とした排水蓋が市販されている（特許文献１参照）。この排水蓋は排水口の開口を覆う蓋本体部が平面的に見て角丸正方形状に形成されており、裏側の中央から裏側方向へ延びた支柱の先端に、この支柱先端を中心にして左右対称に延設された可撓性を有する帯板状の脚部が固着されて成る。この排水蓋はそのままの形で上向きの排水口に使用でき、脚部の両側をＵ字状に撓ませて排水口に差し込むと、脚部の復元力で排水口の内壁に密着し、抜け防止が図られる。
一方、横向きの排水口に使用する場合、蓋本体部の一部を直線的に切り取ることで、支柱と脚部を排水口の上下方向の中央付近に略水平に配設可能とするようにしている。このため、横向きの排水口に対しては蓋本体部を切り取り線に沿って切り取る作業が必要であり、面倒であった。
【先行技術文献】
【特許文献】
【０００５】
【特許文献１】特許第４６８２２９２号
【発明の概要】
【発明が解決しようとする課題】
【０００６】
本発明は上記した従来技術の問題に鑑みなされたもので、部材の一部の切り取りなどの面倒な作業が不要な上向き、横向き兼用の排水蓋を提供することを、その目的とする。
【課題を解決するための手段】
【０００７】
請求項１記載の発明では、
雨水を排水する多数の排水孔または排水スリットを有し、排水管の排水口を覆う蓋本体部と、
蓋本体部の裏側中央から裏側方向に延設された支柱と、
支柱の先端部に、この先端部を中心として左右対称に取り付けられた可撓性を有する脚部と、
を備え、
脚部は支柱の先端部に、支柱の軸と直交する軸周りに回動自在に軸支されており、
脚部の両側をＵ字状に撓ませて排水口に差し込み、脚部の復元力で排水口の内壁に密着自在に形成されていること、
を特徴としている。
請求項２記載の発明では、
脚部は蓋本体部の前後方向に回動自在に軸支されており、
蓋本体部の上部の前側端部と後側端部の内、少なくとも一方を前後方向の外側に延設して延設部とし、
この延設部の内、蓋本体部の裏側方向の先端を、蓋本体部の内、延設部を除く裏側方向の先端より上方に位置するようにし、延設部の前後方向の端縁を平面的に見て左右方向に直線状に形成したこと、
を特徴としている。
請求項３記載の発明では、
延設部は、雨水を排水する複数の排水スリットを有すること、
を特徴としている。
【発明の効果】
【０００８】
本発明によれば、脚部をＵ字状に撓ませて排水口に差し込み排水口を塞ぐように蓋本体部を設置すると、排水口内の脚部が復元力で排水口の内壁に密着するが、この際、支柱の先端部を中心に回動して脚部の両先端が排水口の断面の一番間隔の広い箇所に位置するので、蓋本体部を傾斜させる力が生じず、蓋本体部と排水口の間に隙間が生じない。従って、排水蓋の一部を切り取ったりしなくても、上向きと横向きの両方の排水口に使用可能となる。
【図面の簡単な説明】
【０００９】
【図１】本発明の一実施例に係る排水蓋の平面図である（実施例１）。
【図２】排水蓋の正面図である。
【図３】排水蓋の右側面図である。
【図４】排水蓋の底面図である。
【図５】上向きの排水口に対する排水蓋の使用方法の説明図である。
【図６】上向きの排水口に設置した排水蓋周りの断面図である。
【図７】上向きの排水口に設置した排水蓋の作用説明図である。
【図８】上向きの排水口に設置した排水蓋の作用説明図である。
【図９】横向きの排水管の一部省略した斜視図である。
【図１０】横向きの排水口に設置した排水蓋の作用説明図である。
【図１１】脚部が回動しない場合の問題点の説明図である。
【発明を実施するための最良の形態】
【００１０】
以下、本発明の最良の形態を実施例に基づき説明する。
【実施例１】
【００１１】
図１乃至図４を参照して本発明に係る排水蓋の実施例を説明する。図１は本発明の一実施例に係る排水蓋の平面図、図２は排水蓋の正面図、図３は排水蓋の右側面図、図４は排水蓋の底面図である。
図１乃至図４において、１は排水蓋であり、上向きの排水管の排水口と横向きの排水管の排水口の両方に使用可能である。排水蓋１の内、２は平面視がトラック状に形成された蓋本体部であり、平面状の上面に多数の雨水の排水孔３が形成されている。また、蓋本体部２の左側、右側、前側（図１の下側）、後側（図１の上側）の周縁近くの裏側から多数の幅広及び幅狭の突起４Ａ、４Ｂ、５Ａ、５Ｂが間隔をあけて蓋本体部２の裏側方向に突設されており、隣接する突起４Ａ、４Ｂ、５Ａ、５Ｂの間に雨水を排水する多数の排水スリット６が形成されている。突起４Ａ、４Ｂは蓋本体部２の左側端部近くと右側端部近くに間隔をあけて円弧状に配設されており、突起５Ａ、５Ｂは蓋本体部２の前側端部近くと後側端部近くに間隔をあけて略直線状に配設されている。突起４Ａ、４Ｂ、５Ａ、５Ｂの蓋体本部２の裏側方向の先端は蓋本体部２の上面と平行な同一平面上に位置しており、蓋本体部２の下端を成す。
【００１２】
蓋本体部２の前側端部（図１における下側端部）は突起５Ａより前方向外側に延設された延設部７となっている。延設部７は熊手状の複数の突起７Ａから成り、蓋本体部２の上面から延設部７にかけて雨水を排水する多数の排水スリット８が形成されている。延設部７は側面的に見て、蓋本体部２の上面側から下端側へ略Ｊ字状に湾曲しており、平面的に見た前側端縁は直線状に形成されている。同様に、蓋本体部２の後側端部は突起５Ｂより後方向外側に延設された延設部９となっている。延設部９は熊手状の複数の突起９Ａから成り、蓋本体部２の上面から延設部９にかけて雨水を排水する多数の排水スリット８が形成されている。延設部９は側面的に見て、蓋本体部２の上面側から下端側へ略Ｊ字状に湾曲しており、平面的に見た後側端縁は直線状に形成されている。延設部７、９の蓋体本部２の裏側方向の先端は蓋本体部２の上面と平行な同一平面状に位置しているが、突起４Ａ、４Ｂ、５Ａ、５Ｂの先端が成す平面よりも上方に位置している。
【００１３】
蓋本体部２の裏側の中央から裏側方向へ支柱１０が突設されており、この支柱１０の開放側の先端部に、該先端部を中心として左右対称に可撓性を有する帯板状の脚部１１がネジ１２により取り付けられている。脚部１１はネジ１２により支柱１０と直交する軸であって、図１、図２の左右方向に延びた軸周りに回動自在に軸支されており、両端部が蓋本体部２の前側方向または後側方向に回動可能になっている（図３の矢印Ｃ参照）。脚部１１は両側をＵ字状に撓ませることで（図２の矢印Ａ、Ｂ参照）、排水口に差し込み、脚部１１の復元力で排水口の内壁に密着自在に形成されている（図６参照）。脚部１１の両先端部には爪部１３が形成されており、排水管内の段差部分（図６の符号２６、図１０の符号３９参照）に係合可能になっている。
【００１４】
次に、図５乃至図８を参照して上記した実施例の作用を説明する（なお、図５では脚部を省略している）。
（１）上向きの排水口への設置（図５乃至図８参照）
図５乃至図８の内、２０はベランダ、屋上に設けられた上向きの排水管であり、上下方向に配設された排水管本体２１と、排水管本体２１の上端に嵌着された排水口部材（ドレン）２２から成る。排水口部材２２の中が円筒状の排水口２３である。排水口部材２２は上端に円形の開口２４と水平な円環状のフランジ部２５を有している。
排水蓋１の脚部１１の両端部をＵ字状に撓ませ、排水口２３に差し込みながら上面を上向きにした蓋本体部２で排水口２３の開口２４を覆い、突起４Ａ、４Ｂ、５Ａ、５Ｂの下端をフランジ部２５の上に当接させる（図５、図６参照）。この際、蓋本体部２の平面的に見た中心を排水口２３の中心に合わせるようにする。
【００１５】
排水口２３の中に差し込まれた脚部１１は復元力により両端部の間隔が広がり、排水口２３の内壁に密着するとともに内壁に沿って排水口２３の水平断面の一番間隔の広い箇所に位置しようとする（図７の矢印Ｄ参照）。蓋本体部２を設置した際、平面的に見た蓋本体部２の中心が排水口２３の中心に一致していれば、脚部１１の回動軸方向から見て脚部１１と支柱１０は直線状になり、蓋本体部２を傾斜させる力は生じず、蓋本体部２と開口２４との間に隙間は生じない。
若し、蓋本体部２を設置した際、脚部１１の回動軸方向から見て蓋本体部２の中心が排水口２３の中心からずれていた場合、脚部１１が回動して支柱１０に対し斜め方向を向くことにより、支柱１０、蓋本体部２を斜め方向に向ける力は生じず、蓋本体部２と開口２４の間に隙間は生じない（図８参照）。
また、蓋本体部２に上向きの外力が加わっても脚部１１の両端の爪１３が排水口部材２３の内、開口２４とは反対の端縁２６に係合するので、排水蓋１が排水口２３から外れることはない。
【００１６】
（２）横向きの排水口への設置（図９、図１０参照）
図９の内、３０はベランダ、屋上に設けられた横向きの排水管であり、水平より僅かに傾斜した方向に配設された排水管本体３１と、排水管本体３１の先端に嵌着された排水口部材（ドレン）３２から成る。排水口部材３２の中が略円筒状の排水口３３である。排水口部材３２は前部に略円形の開口３４と断面Ｌ字状のフランジ部３５を有している。
図１０に示す如く、排水蓋１の脚部１１の両端部をＵ字状に撓ませ、排水口３３に差し込みながら横向きにした蓋本体部２で排水口３３の開口３４を覆い、突起４Ａ、４Ｂ、５Ａ、５Ｂの下端（図１０の右端）をフランジ部３５の立ち上がり部３６の前面に当接させ、延設部７（または９）を底板部３７の上に当接させる。この際、蓋本体部２の図１、図２の左右方向の中心を排水口３３の左右方向の中心に合わせるようにする。
【００１７】
排水口３３の中に差し込まれた脚部１１は復元力により両端部の間隔が広がり、排水口３３の内壁に密着するとともに、内壁に沿って排水口３３の縦断面の一番間隔の広い箇所に位置しようとする。蓋本体部２を設置した際、脚部１１の回動軸方向から見て蓋本体部２の図１０における上下方向の中心が排水口３３の上下方向の中心からずれるが、脚部１１が回動して支柱１０に対し斜め方向を向くことにより、支柱１０、蓋本体部２を斜め方向に向ける力は生じず、蓋本体部２の突起４Ａ、４Ｂ、５Ａ、５Ｂの先端が形成する平面は開口３４を含む平面と一致し、隙間は生じない。
この点、図１１の排水蓋１Ａに示す如く、若し脚部１１Ａが支柱１０Ａに対し回動不能に固定されていた場合、脚部１１Ａの両先端間が復元力で広がり、排水口３３の上下方向の中央付近に位置しようとしたとき、脚部１１Ａ、支柱１０Ａ、蓋本体部２Ａが傾斜し、排水口３３の開口３４との間に隙間Ｓが生じてしまう。
【００１８】
また、図９、図１０に示す如く、フランジ部３５の底板部３７と立ち上がり部３６の接続部分が丸角部３８となっていても延設部７（または９）が底板部３７に当接する一方、突起５Ａ（または５Ｂ）は丸角部３８に当接せず、これによっても蓋本体部２は傾斜しない。
また、蓋本体部２に横外向きの外力が加わっても脚部１１の両端の爪１３が排水口部材３２の内、開口３４とは反対の端縁３９に係合するので、排水蓋１が排水口３３から外れることはない。
【００１９】
この実施例によれば、排水口２３または３３の開口２４または３４を塞ぐように蓋本体部２を設置すると、排水口内の脚部１１が支柱１０の先端部を中心に回動して脚部１１の両先端が排水口２３または３３の断面の一番間隔の広い箇所に位置するので、蓋本体部２を傾斜させる力が生じず、蓋本体部２と開口２４または３４の間に隙間が生じない。従って、排水蓋１の一部を切り取ったりしなくても、上向きの排水口２３と横向きの排水口３３の両方に使用可能となる。
また、横向きの排水口３３に設置する場合、フランジ部３５の内の底板部３７と立ち上がり部３６の接続部分が丸角部３８となっていても延設部７（または９）が底板部３７の上に当接する一方、蓋本体部２の下端である突起５Ａ（または５Ｂ）の先端は丸角３８に当接せず、これによっても蓋本体部２は傾斜しない。
【産業上の利用可能性】
【００２０】
本発明は、マンションやビル等の建物のベランダ、屋上等の排水管の排水口に設置するゴミ避け用の排水蓋に適用できる。
【符号の説明】
【００２１】
１  排水蓋
２  蓋本体部
３  排水孔
４、５  突起
６、８  排水スリット
７、９  延設部
１０  支柱
１１  脚部
１２  ネジ
２０、３０  排水管
２２、３２  排水口部材
２３、３３  排水口
【図１】
2019167759.tif 000003
【図２】
2019167759.tif 000004
【図３】
2019167759.tif 000005
【図４】
2019167759.tif 000006
【図５】
2019167759.tif 000007
【図６】
2019167759.tif 000008
【図７】
2019167759.tif 000009
【図８】
2019167759.tif 000010
【図９】
2019167759.tif 000011
【図１０】
2019167759.tif 000012
【図１１】
2019167759.tif 000013
【手続補正書】
【提出日】平成30年3月30日(2018.3.30)
【手続補正１】
【補正対象書類名】明細書
【補正対象項目名】０００３
【補正方法】変更
【補正の内容】
【０００３】
一方、横向きに開口した排水口は軸が略水平な円筒状であり、排水口の前端の周囲は縦断面がＬ字状の角面となっている（図９参照）。上向き用の排水蓋を横向きに開口した排水口に使用しようとすると、脚部の両先端間が復元力で広がり、排水口の上下方向の中央付近に位置しようとするため、脚部、支柱、蓋本体部が傾斜し、排水口の開口との間に隙間が生じてしまう（図１１参照）。
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
雨水を排水する多数の排水孔または排水スリットを有し、排水管の排水口を覆う蓋本体部と、
蓋本体部の裏側中央から裏側方向に延設された支柱と、
支柱の先端部に、この先端部を中心として左右対称に取り付けられた可撓性を有する脚部と、
を備え、
脚部は支柱の先端部に、蓋本体部の前後方向に回動自在に軸支されるとともに、脚部の両側をＵ字状に撓ませて排水口に差し込まれると、脚部の復元力で排水口の内壁に密着自在に形成されており、
蓋本体部の上部の前側端部と後側端部の内、少なくとも一方を前後方向の外側に延設して延設部とし、
この延設部の内、蓋本体部の裏側方向の先端を、延設部を除く蓋本体部の裏側方向の先端より上方に位置するようにし、延設部の前後方向の端縁を平面的に見て左右方向に直線状に形成したこと、
を特徴とする排水蓋。
【請求項２】
延設部は、雨水を排水する複数の排水スリットを有すること、
を特徴とする請求項１記載の排水蓋。
【手続補正２】
【補正対象書類名】明細書
【補正対象項目名】０００７
【補正方法】変更
【補正の内容】
【０００７】
請求項１記載の発明では、
雨水を排水する多数の排水孔または排水スリットを有し、排水管の排水口を覆う蓋本体部と、
蓋本体部の裏側中央から裏側方向に延設された支柱と、
支柱の先端部に、この先端部を中心として左右対称に取り付けられた可撓性を有する脚部と、
を備え、
脚部は支柱の先端部に、蓋本体部の前後方向に回動自在に軸支されるとともに、脚部の両側をＵ字状に撓ませて排水口に差し込まれると、脚部の復元力で排水口の内壁に密着自在に形成されており、
蓋本体部の上部の前側端部と後側端部の内、少なくとも一方を前後方向の外側に延設して延設部とし、
この延設部の内、蓋本体部の裏側方向の先端を、延設部を除く蓋本体部の裏側方向の先端より上方に位置するようにし、延設部の前後方向の端縁を平面的に見て左右方向に直線状に形成したこと、
を特徴としている。
請求項２記載の発明では、
延設部は、雨水を排水する複数の排水スリットを有すること、
を特徴としている。
【手続補正３】
【補正対象書類名】明細書
【補正対象項目名】０００８
【補正方法】変更
【補正の内容】
【０００８】
本発明によれば、脚部をＵ字状に撓ませて排水口に差し込み排水口を塞ぐように蓋本体部を設置すると、排水口内の脚部が復元力で排水口の内壁に密着するが、この際、支柱の先端部を中心に回動して脚部の両先端が排水口の断面の一番間隔の広い箇所に位置するので、蓋本体部を傾斜させる力が生じず、蓋本体部と排水口の間に隙間が生じない。従って、排水蓋の一部を切り取ったりしなくても、上向きと横向きの両方の排水口に使用可能となる。
また、横向きの排水口に設置する場合、排水口部材のフランジ部の内の底板部と立ち上がり部の接続部分が丸角部となっていても、延設部が底板部の上に当接する一方、蓋本体部の裏側方向の先端は丸角に当接せず、蓋本体部は傾斜しない。